(57)【要約】【課題】  シンク下方のキャビネット空間内に装置本体が設置されるビルトイン型の水処理装置とこれを備えた流し台を、キャビネット空間内に引出し体が設置されていても装置本体のカートリッジ交換等が容易に行えるとともに、該引出し体内の収納スペースを確保することができ、且つ流し台から引出し体を取り外す際に装置本体に接続されるパイプ等を痛めるといった危険性を、パイプ等を長く設けずとも回避することが可能なものとして提供する。【解決手段】  流し台２に設置される水処理装置１である。供給される水道原水を水処理したうえで吐出させる装置本体５と、流し台２のシンク３下方のキャビネット空間Ｓ内において前後方向にスライド自在な引出し体４の後部外側に上記装置本体５を着脱自在に装着する装着具１０とを具備することを特徴とする。【選択図】図１
2007291653.tif 000002
【特許請求の範囲】
【請求項１】
流し台に設置される水処理装置であって、供給される水道原水を水処理したうえで吐出させる装置本体と、流し台のシンク下方のキャビネット空間内において前後方向にスライド自在な引出し体の後部外側に上記装置本体を着脱自在に装着する装着具とを具備することを特徴とする水処理装置。
【請求項２】
上記装着具が、引出し体に対する装置本体の上下位置を調整可能なものであることを特徴とする請求項１に記載の水処理装置。
【請求項３】
請求項１又は２に記載の水処理装置の装置本体及び装着具と、該装着具が取付けられて該装置本体と一体に前後方向にスライド自在となる引出し体とを、シンク下方のキャビネット空間内に具備することを特徴とする流し台。
【発明の詳細な説明】
【技術分野】
【０００１】
本発明は、流し台のシンク下方のキャビネット空間内に水処理装置の装置本体を設置する技術に関するものである。
【背景技術】
【０００２】
従来から、流し台のシンク下方のキャビネット空間内に装置本体を設置してある、所謂ビルトイン型の水処理装置が知られている。この水処理装置は、供給される水道原水に装置本体にてろ過や電解処理等の適宜水処理を施したうえで、流し台上面に設置してある水栓へと送り出し、この水栓からシンク内に向けて処理済みの水を吐出させるものである。
【０００３】
上記水処理装置においては、カートリッジ交換等の装置本体の定期的なメンテナンスが必要となるのだが、近年はシンク下方のキャビネット空間内に前後方向にスライド自在な引出し体を設置することが主流となっていることから、この装置本体のメンテナンス作業が非常に困難であるといった問題がある。
【０００４】
これは、図７に示すように、流し台２のシンク３下方のキャビネット空間Ｓ内に引出し体４が設置してある場合、水処理装置１の装置本体５は該引出し体４と干渉することがないようにキャビネット空間Ｓ内の後端部に固定しておく必要があるので、メンテナンスを行う際には装置本体５の前方に位置する引出し体４が邪魔になってしまうからである。このため、従来はメンテナンス時には引出し体４を流し台２から一旦取り外しておき、そのうえでキャビネット空間Ｓ内に上半身を潜り込ませてカートリッジ交換等を行う必要があり、使用者には非常に面倒な作業が要求されていたのである。
【０００５】
上記問題に対して特許文献１には、装置本体を引出し体内に設置しておくといった方法が提案されている。この方法を用いた場合には、引出し体を前方にスライドさせれば装置本体のカートリッジ交換等が容易に行えるようになって上記問題は解決されるのだが、その代わりに引出し体内の有効な収納スペースが制限されてしまうといった問題が生じる。また、流し台から引出し体を取り外すような場合には、装置本体に接続されるパイプや電源コードが引っ張られて痛める危険性があるといった問題や、この危険性を避けるために上記パイプ等を十分長尺に設けておいた場合には通常収納時にこの長尺のパイプ等が邪魔になるといった問題が生じる。
【特許文献１】特開２００５−２３２８７３号公報
【発明の開示】
【発明が解決しようとする課題】
【０００６】
本発明は上記問題点に鑑みて発明したものであって、シンク下方のキャビネット空間内に装置本体が設置されるビルトイン型の水処理装置とこれを備えた流し台を、キャビネット空間内に引出し体が設置されていても装置本体のカートリッジ交換等が容易に行えるとともに、該引出し体内の収納スペースを確保することができ、且つ流し台から引出し体を取り外す際に装置本体に接続されるパイプ等を痛めるといった危険性を、パイプ等を長く設けずとも回避することが可能なものとして提供することを課題とするものである。
【課題を解決するための手段】
【０００７】
上記課題を解決するために本発明に係る水処理装置１を、流し台２に設置される水処理装置１であって、供給される水道原水を水処理したうえで吐出させる装置本体５と、流し台２のシンク３下方のキャビネット空間Ｓ内において前後方向にスライド自在な引出し体４の後部外側に上記装置本体５を着脱自在に装着する装着具１０とを具備するものとする。
【０００８】
上記構成の水処理装置１とすることで、通常の使用時には、引出し体４を備えてあるキャビネット空間Ｓ内の後部に装置本体５を位置させておき、カートリッジ交換等のメンテナンス時には、引出し体４を前方に引出せば、装置本体５を前方に移動させることができる。つまり、キャビネット空間Ｓ内に設置される引出し体４の前後スライドを利用して装置本体５のカートリッジ交換等が容易に行えるとともに、装置本体５は引出し体４の後部外側にあるので該引出し体４内の収納スペースは確保される。加えて上記装置本体５は引出し体４と着脱自在であるから、流し台２から引出し体４を取り外す際にはまず装置本体５を該引出し体４から外し、この装置本体５をキャビネット空間Ｓ内に残した状態で引出し体４を流し台２から取り外せばよい。これにより、流し台２から引出し体４を取り外す際に装置本体５に接続されるパイプ等を痛めるといった危険性を、このパイプ等を長く設けずとも回避することが可能である。
【０００９】
また上記構成の水処理装置１にあっては、上記装着具１０が、引出し体４に対する装置本体５の上下位置を調整可能なものであることが好適である。このようにすることで、設置しようとする流し台２が備える引出し体４の上下幅等の各種条件に対応して、引出し体４と一体にスライドする装置本体５の上下位置を他の障害物と接触しないように適宜設けることができる。
【００１０】
そして本発明に係る流し台２を、上記構成から成る水処理装置１の装置本体５及び装着具１０と、該装着具１０が取付けられて該装置本体５と一体に前後方向にスライド自在となる引出し体４とを、シンク３下方のキャビネット空間Ｓ内に具備するものとすることで、通常の使用時には、引出し体４を備えてあるキャビネット空間Ｓ内の後部に装置本体５を位置させておき、カートリッジ交換等のメンテナンス時には、引出し体４を前方に引出して装置本体５を前方に移動させることができる。つまり、キャビネット空間Ｓ内に設置される引出し体４の前後スライドを利用して装置本体５のカートリッジ交換等が容易に行えるとともに、装置本体５は引出し体４の後部外側にあるので該引出し体４内の収納スペースは確保される。加えて上記装置本体５は引出し体４と着脱自在であるから、流し台２から引出し体４を取り外す際にはまず装置本体５を該引出し体４から外し、この装置本体５をキャビネット空間Ｓ内に残した状態で引出し体４を流し台２から取り外せばよい。これにより、流し台２から引出し体４を取り外す際に装置本体５に接続されるパイプ等を痛めるといった危険性を、このパイプ等を長く設けずとも回避することが可能である。
【発明の効果】
【００１１】
本発明は、シンク下方のキャビネット空間内に装置本体が設置されるビルトイン型の水処理装置とこれを備えた流し台を、キャビネット空間内に引出し体が設置されていても装置本体のカートリッジ交換等が容易に行えるとともに、該引出し体内の収納スペースを確保することができ、且つ流し台から引出し体を取り外す際に装置本体に接続されるパイプ等を痛めるといった危険性を、上記パイプ等を長く設けずとも回避することが可能なものとするといった効果を奏する。
【発明を実施するための最良の形態】
【００１２】
以下、本発明を添付図面に示す実施形態に基づいて説明する。図１〜図４には、本発明の実施形態における一例の水処理装置１を備えた流し台２が示してある。この流し台２は、その上面２ａにシンク３を有するとともに、該シンク３下方にはキャビネット空間Ｓが形成されたものであり、このキャビネット空間Ｓ内には、上方の開口した箱状を成す上下二段の引出し体４が前後方向にスライド自在に設置してある。この引出し体４は、その前板４ａを他の側板４ｂや後板４ｃよりも充分に高く設けたものである。なお本文中においては、流し台２を利用する際に使用者が位置する側（図中の矢印Ａ側）を前方、流し台２が位置する側（図中の矢印Ｂ側）を後方とする。
【００１３】
水処理装置１は、水道源から供給される水道原水に各種水処理を施したうえで吐出させる装置本体５と、この装置本体５を引出し体４の後部外側に着脱自在に装着させておくための装着具１０とを備えている。本例の装置本体５は、ろ過用の浄水カートリッジ７（図５参照）及び電解槽（図示せず）を内蔵し、給水パイプ（図示せず）を通じて供給される水道原水にろ過及び電気分解を施して生成されるアルカリ水及び酸性水を、流し台２の上面２ａに立設してある水栓８から個別に吐出するものであるが、このような水処理装置は周知であることから詳しい構成については説明を省略する。なお、図中の符号９はアルカリ水及び酸性水を水栓８に向けて個別に送り出すための可撓性を有する一対のパイプであり、その一方が水栓８の吐水管８ａに連通接続され、他方が該水栓８の排水管８ｂに連通接続される。図５中にはこのパイプ９は示していない。
【００１４】
上記装置本体５は、キャビネット空間Ｓ内において引出し体４の後方に位置するものであり、引出し体４の後板４ｃに上方から着脱自在に引掛け係止される装着具１０内に固定されるようになっている。上記装着具１０は、装置本体５が収納される枠状を成す収納部１０ａと、該収納部１０ａの前面に取付固定される左右一対の鉤状を成す係止部１０ｂとで形成される。上記装着具１０を介して、装置本体５は引出し体４と一体に前後方向にスライド自在となっている。
【００１５】
上記構成から成る水処理装置１を備えた流し台２にあっては、通常使用時は図１に示すように装置本体５はキャビネット空間Ｓ内における最も後方の位置にあり、この位置にてろ過及び電気分解を施して得たアルカリ水と酸性水を水栓８に向けて吐出させて使用する。キャビネット空間Ｓの後端下部には配管スペースを囲むための配管カバー１４が固定してあるのだが、通常使用時に装置本体５が配置される最後方の位置は、この配管カバー１４上の位置となる。
【００１６】
一定の使用量毎に要求される浄水カートリッジ７の交換作業に際しては、まず引出し体４を最も前方にまでスライドさせることで、図２、図３に示すように装置本体５を流し台２の前面開口部近傍にまで移動させる。ここで使用者は引出し体４の後板４ｃ上方に形成される空隙部分を通じて手を差し入れ、容易に浄水カートリッジ７の交換作業を行うことができる。交換完了後には再び引出し体４を後方へとスライド移動させればよく、引出し体４がキャビネット空間Ｓ内に完全に収納された状態で、装置本体５は図１に示す通常使用時の位置に復帰する。
【００１７】
なお、装置本体５に接続されるパイプ９や給水パイプが、前後方向のスライド移動に支障を来たすことのない必要十分な長さ及び可撓性を有するものであることは勿論である。また上記パイプ９等は、左右軸廻りに回動自在となるように装置本体５に連通接続させてあることが好適である。
【００１８】
そして、引出し体４を流し台２のキャビネット空間Ｓ内から一旦取り出す場合には、まず引出し体４を前方にスライドさせるとともに、装置本体５を装着具１０ごと引出し体４から外しておく（図４参照）。この装着具１０及び装置本体５をキャビネット空間Ｓ内に残したうえで（図示例では下側の引出し体４内に置いたうえで）引出し体４を流し台２から取り外すようにすることで、装置本体５に接続されるパイプ９等が引っ張られて傷つくことが防止される。言い換えれば、パイプ９等を長尺に設けておくことなしに、引出し体４取り外し時のパイプ９等の損傷を防止できるので、このパイプ９等が長過ぎて邪魔になることが防止されるのである。
【００１９】
図５には、引出し体４に対する装置本体５の上下位置を調整するための構造について示してある。左右一対の係止部１０ｂは、収納部１０ａに対して複数段階の上下位置にて固定可能となっているので、この上下位置を変更することで引出し体４に対する装置本体５の上下位置が調整される。本例の水処理装置１を設置する流し台２としては多様な形状を有するものが想定されるが、このように装置本体５の上下位置を変更自在としたことで、設置しようとする流し台２が備える引出し体４の上下幅等に対応して、引出し体４と一体にスライドする装置本体５が他の障害物と接触しないように設けることが可能である。
【００２０】
次に、本発明の実施形態における他例の水処理装置１を備えた流し台２について図６に基づいて説明する。なお、他例の水処理装置１は装着具１０の構成以外は上記した一例の構成と同様であることから、一例と同様の構成については同一符号を付して詳しい説明を省略し、一例とは相違する特徴的な構成についてのみ以下に詳述する。
【００２１】
本例の装着具１０は、引出し体４の後面に固定される固定板１０ｃと、装置本体５が置かれる底板１０ｄと、装置本体５を着脱自在に係止しておくための係止片１０ｅとを有する棚状のものであり、上記装着具１０を介して装置本体５は引出し体４と一体に前後方向にスライド自在となっている。
【００２２】
本例において引出し体４をキャビネット空間Ｓ内から一旦取り出す場合には、まず引出し体４を前方にスライドさせるとともに、この引出し体４に固定される装着具１０から装置本体５を外せばよい。そして装置本体５をキャビネット空間Ｓ内に残したうえで引出し体４を流し台２から取り外すのである。つまり本例にあっても、装置本体５に接続されるパイプ９等を長く設けずとも、流し台２から引出し体４を取り外す際に該パイプ９等を痛めるといった危険が防止されるものである。
【図面の簡単な説明】
【００２３】
【図１】本発明の実施形態における一例の水処理装置を備えた流し台の通常使用時を示す説明用断面図である。
【図２】同上の水処理装置を備えた流し台のカートリッジ交換時を示す説明用断面図である。
【図３】同上の水処理装置を備えた流し台のカートリッジ交換時を示す説明用斜視図である。
【図４】同上の水処理装置を備えた流し台の引出し体取り外し時を示す説明用断面図である。
【図５】同上の水処理装置の上下位置調整用の構造を示す説明用斜視図である。
【図６】本発明の実施形態における他例の水処理装置を備えた流し台の通常使用時を示す説明用断面図である。
【図７】従来の水処理装置を備えた流し台を示す説明図である。
【符号の説明】
【００２４】
１  水処理装置
２  流し台
３  シンク
４  引出し体
５  装置本体
１０  装着具
Ｓ  キャビネット空間
【図１】
2007291653.tif 000003
【図２】
2007291653.tif 000004
【図３】
2007291653.tif 000005
【図４】
2007291653.tif 000006
【図５】
2007291653.tif 000007
【図６】
2007291653.tif 000008
【図７】
2007291653.tif 000009